(57)【要約】【課題】複数行の要素から構成されたコンテンツを表示して、効率的に内容を確認するための表示システム、表示方法及び表示プログラムを提供する。【解決手段】レセプト表示装置２０の制御部２１は、全明細の編集処理を実行する。ここでは、仮想メモリにおいては、各明細レコードを、摘要欄を構成する行数に応じて順番に並べる。そして、頁計算処理において、制御部２１は、仮想メモリに記録された表示データに含まれる明細について、摘要欄で表示可能な行数に応じて頁を割り振る。そして、制御部２１は、表示制御処理を実行する。ここでは、制御部２１は、一方の摘要欄に表示されている明細を、他方の摘要欄に表示されないように表示制御を行なう。【選択図】図１
2014215810.tif 000002
【特許請求の範囲】
【請求項１】
表示対象コンテンツを記憶したコンテンツ記憶部と、
表示部に接続された制御部とを備えた表示システムであって、
前記制御部が、
前記表示部に第１の表示欄と第２の表示欄とを出力し、
前記コンテンツ記憶部において、前記第１、第２の表示欄に出力する表示対象コンテンツを特定し、
前記表示対象コンテンツに含まれる要素であって、一方の表示欄に出力する要素範囲を特定し、
他方の表示欄において、前記要素範囲を非表示にして、前記表示対象コンテンツに含まれる他の要素を出力することを特徴とする表示システム。
【請求項２】
前記表示対象コンテンツは、複数のセクションから構成されており、
前記制御部が、
前記第１の表示欄において、順次、各セクションを表示し、
前記第１の表示欄において、全体を表示できないセクションについては、このセクションを前記第２の表示欄に表示することを特徴とする請求項１に記載の表示システム。
【請求項３】
前記各表示欄に対応して、それぞれの絞り込み条件を設定するための表示種別欄が設けられており、
前記制御部が、
一方の表示種別欄において、表示対象コンテンツの絞り込み条件を取得した場合、前記絞り込み条件に該当する要素を特定し、
前記特定した要素を、前記表示種別欄に対応する前記表示欄において表示し、前記表示種別欄において絞り込み条件が設定されていない表示欄には、前記絞り込み条件に該当しない要素を表示することを特徴とする請求項１又は２に記載の表示システム。
【請求項４】
前記制御部が、前記表示対象コンテンツに対して、要素の補正情報を取得した場合、前記要素及び補正情報を一つのセクションとして構成することを特徴とする請求項１〜３のいずれか一つに記載の表示システム。
【請求項５】
前記表示対象コンテンツに含まれる複数の要素について関連性が記録された関連情報記憶部を更に備え、
前記制御部が、
前記第１の表示欄において、特定の要素の指定を検知した場合、前記指定された要素と関連性がある他の要素を特定し、
前記他の要素が前記第１の表示欄に表示されていない場合には、前記第２の表示欄に表示することを特徴とする請求項１〜４のいずれか一つに記載の表示システム。
【請求項６】
前記制御部が、
前記第１の表示欄において、特定の要素の指定を検知した場合、前記表示対象コンテンツに関連する他のコンテンツを前記コンテンツ記憶部から抽出し、
前記他のコンテンツにおいて、前記特定の要素と関連性がある要素を特定し、前記第２の表示欄に表示することを特徴とする請求項１〜５のいずれか一つに記載の表示システム。
【請求項７】
前記制御部が、関連性がある複数の要素が連続して縦方向に並べられた配置を検知した場合、前記複数の要素を表示欄の横幅に合わせて、要素を横方向に並べた配置の横書き表示を行なうことを特徴とする請求項１〜６のいずれか一つに記載の表示システム。
【請求項８】
前記制御部が、前記横書き表示が一つの表示欄に収まらないと判定した場合には、前記横書き表示を解除して元の配置に戻すことを特徴とする請求項７に記載の表示システム。
【請求項９】
表示対象コンテンツを記憶したコンテンツ記憶部と、
表示部に接続された制御部とを備えた表示システムを用いて、前記表示対象コンテンツを表示する方法であって、
前記制御部が、
前記表示部に第１の表示欄と第２の表示欄とを出力し、
前記コンテンツ記憶部において、前記第１、第２の表示欄に出力する表示対象コンテンツを特定し、
前記表示対象コンテンツに含まれる要素であって、一方の表示欄に出力する要素範囲を特定し、
他方の表示欄において、前記要素範囲を非表示にして、前記表示対象コンテンツに含まれる他の要素を出力することを特徴とする表示方法。
【請求項１０】
表示対象コンテンツを記憶したコンテンツ記憶部と、
表示部に接続された制御部とを備えた表示システムを用いて、前記表示対象コンテンツを表示するためのプログラムであって、
前記制御部を、
前記表示部に第１の表示欄と第２の表示欄とを出力し、
前記コンテンツ記憶部において、前記第１、第２の表示欄に出力する表示対象コンテンツを特定し、
前記表示対象コンテンツに含まれる要素であって、一方の表示欄に出力する要素範囲を特定し、
他方の表示欄において、前記要素範囲を非表示にして、前記表示対象コンテンツに含まれる他の要素を出力する手段として機能させることを特徴とする表示プログラム。
【発明の詳細な説明】
【技術分野】
【０００１】
本発明は、複数行の要素から構成されたコンテンツを表示する場合に用いる表示システム、表示方法及び表示プログラムに関する。
【背景技術】
【０００２】
近年、医療分野においてもコンピュータを活用しての事務の効率化が進められている。そして、診療報酬の請求についても、レセプト電算処理システムを導入して、請求事務の更なる効率化、ＩＴ化が検討されている（例えば、非特許文献１を参照。）。ここで、レセプト電算処理システムとは、診療報酬の請求を紙のレセプトに代えて、電子媒体に収録した電子レセプトで提出を行なう仕組みである。そして、医療機関、審査支払機関及び保険者を通じて一貫した整合性があるシステムを構築し、業務量の軽減と事務処理の迅速化を実現することを目的としている。
【０００３】
クライアント端末に電子レセプトを効率的にダウンロードさせて、この電子レセプトを用いて審査を行なうための表示システムが検討されている（例えば、特許文献１を参照。）。この文献に記載された技術においては、レセプト審査支援装置の制御部は、クライアント端末からダウンロード条件を取得する。そして、このダウンロード条件を用いて対象レセプトをレセプト記憶部から抽出してダウンロード用メモリに仮記憶する。そして、制御部は、ダウンロード用メモリに仮記憶された電子レセプトを、ソート制御情報を用いて並べ替える。次に、制御部は、送信制御情報記憶部に記録された一括送信件数情報を取得し、この一括送信件数毎に、レセプト送信処理を実行する。また、電子レセプトの審査結果において補正されたレコードを検出した場合には、制御部は、医療機関や診療行為についての情報の登録処理を実行する。
【先行技術文献】
【非特許文献】
【０００４】
【非特許文献１】社会保険診療報酬支払基金、「レセプト電算処理システム」、［online］、［平成２５年３月３日検索］、インターネット、＜ＵＲＬ：http://www.ssk.or.jp/rezept/index.html＞
【特許文献】
【０００５】
【特許文献１】特開２００８−３１０４３６号公報（第１頁、図１）
【発明の概要】
【発明が解決しようとする課題】
【０００６】
電子レセプトには、複数の診療明細が含まれる。ここで、診療明細が多い場合、１列の段組みで電子レセプトを表示したのでは、表示できる行数が少なく、効率的な審査作業を行なうことができない。また、縦スクロールにより切替表示を行なうことも可能であるが、スクロール操作や確認した場所の特定が煩雑になる場合もある。特に、電子レセプトにおいては、患者によって摘要欄の明細数が大きく異なることがあり、この数の違いを考慮した画面表示が必要である。一方、複数列の段組みで電子レセプトを表示した場合、段組みの前段や後段の診療明細の審査においても的確に審査できることが望ましい。
【０００７】
本発明は、上述の問題に鑑みてなされたものであり、この目的は、複数行の要素から構成されたコンテンツを表示して、効率的に内容を確認するための表示システム、表示方法及び表示プログラムを提供することにある。
【課題を解決するための手段】
【０００８】
（１）上記課題を解決するための表示システムは、表示対象コンテンツを記憶したコンテンツ記憶部と、表示部に接続された制御部とを備える。そして、前記制御部が、前記表示部に第１の表示欄と第２の表示欄とを出力し、前記コンテンツ記憶部において、前記第１、第２の表示欄に出力する表示対象コンテンツを特定し、前記表示対象コンテンツに含まれる要素であって、一方の表示欄に出力する要素範囲を特定し、他方の表示欄において、前記要素範囲を非表示にして、前記表示対象コンテンツに含まれる他の要素を出力する。これにより、複数の表示欄を用いて、コンテンツを表示することができる。この場合、各表示欄において表示されるコンテンツの重複を防ぐことにより、混乱を抑制することができる。
【０００９】
（２）更に、上記表示システムにおいて、前記表示対象コンテンツは、複数のセクションから構成されており、前記制御部が、前記第１の表示欄において、順次、各セクションを表示し、前記第１の表示欄において、全体を表示できないセクションについては、このセクションを前記第２の表示欄に表示することが好ましい。これにより、各セクションでまとめられた内容を、同じ表示欄において確認することができる。
【００１０】
（３）更に、上記表示システムにおいて、前記各表示欄に対応して、それぞれの絞り込み条件を設定するための表示種別欄が設けられており、前記制御部が、一方の表示種別欄において、表示対象コンテンツの絞り込み条件を取得した場合、前記絞り込み条件に該当する要素を特定し、前記特定した要素を、前記表示種別欄に対応する前記表示欄において表示し、前記表示種別欄において絞り込み条件が設定されていない表示欄には、前記絞り込み条件に該当しない要素を表示することが好ましい。これにより、各表示欄において絞り込まれたコンテンツを確認できるとともに、他方の表示欄において、絞り込まれていないコンテンツを確認することができる。
【００１１】
（４）更に、上記表示システムにおいて、前記制御部が、前記表示対象コンテンツに対して、要素の補正情報を取得した場合、前記要素及び補正情報を一つのセクションとして構成することが好ましい。これにより、補正された内容についても、同じ表示欄において、まとめて確認することができる。
【００１２】
（５）更に、上記表示システムにおいて、前記表示対象コンテンツに含まれる複数の要素について関連性が記録された関連情報記憶部を更に備え、前記制御部が、前記第１の表示欄において、特定の要素の指定を検知した場合、前記指定された要素と関連性がある他の要素を特定し、前記他の要素が前記第１の表示欄に表示されていない場合には、前記第２の表示欄に表示することが好ましい。これにより、複数の表示欄において、関連性がある要素を確認することができる。
【００１３】
（６）更に、上記表示システムにおいて、前記制御部が、前記第１の表示欄において、特定の要素の指定を検知した場合、前記表示対象コンテンツに関連する他のコンテンツを前記コンテンツ記憶部から抽出し、前記他のコンテンツにおいて、前記特定の要素と関連性がある要素を特定し、前記第２の表示欄に表示することが好ましい。これにより、複数の表示欄において、関連性があるコンテンツを確認することができる。
【００１４】
（７）更に、上記表示システムにおいて、前記制御部が、関連性がある複数の要素が連続して縦方向に並べられた配置を検知した場合、前記複数の要素を表示欄の横幅に合わせて、要素を横方向に並べた配置の横書き表示を行なうことが好ましい。これにより、縦に展開された要素を、表示欄において横配列でまとめて確認することができる。
【００１５】
（８）更に、上記表示システムにおいて、前記制御部が、前記横書き表示が一つの表示欄に収まらないと判定した場合には、前記横書き表示を解除して元の配置に戻すことが好ましい。これにより、一つの表示欄に表示できない場合には、元の表示形態により確認することができる。
【発明の効果】
【００１６】
本発明によれば、複数行の要素から構成されたコンテンツを表示して、効率的に内容を確認することができる。
【図面の簡単な説明】
【００１７】
【図１】本実施形態のシステム概略図。
【図２】本実施形態において用いるレセプト記憶部に記録されたデータの説明図。
【図３】本実施形態において用いる審査結果情報記憶部に記録されたデータの説明図。
【図４】本実施形態の審査画面の説明図。
【図５】本実施形態の処理手順の説明図。
【図６】本実施形態の処理手順の説明図であって、（ａ）は全明細の編集表示処理、（ｂ）は頁計算処理の説明図。
【図７】本実施形態の処理手順の説明図。
【図８】本実施形態の審査画面における摘要欄の説明図であって、（ａ）は縦書き表示の状態の摘要欄、（ｂ）は横書き表示に変更した摘要欄の説明図。
【図９】本実施形態の審査画面における摘要欄の説明図であって、（ａ）は横書き表示に変更した摘要欄、（ｂ）は縦書き表示に戻した摘要欄の説明図。
【図１０】本実施形態の審査画面における摘要欄の説明図であって、（ａ）は絞り込み条件が設定されていない場合、（ｂ）は第１摘要欄において絞り込み条件が設定された場合、（ｃ）は第１、第２摘要欄において絞り込み条件が設定された場合の説明図。
【図１１】他の実施形態の処理手順の説明図。
【図１２】他の実施形態の処理手順の説明図。
【図１３】他の実施形態の処理手順の説明図。
【図１４】他の実施形態の処理手順の説明図。
【発明を実施するための形態】
【００１８】
以下、本発明を具体化した表示システムの一実施形態を図１〜図１０に従って説明する。本実施形態では、表示対象コンテンツとして、医療機関から提出された電子レセプトを表示する場合に用いる表示システム、表示方法及び表示プログラムとして説明する。
【００１９】
図１に示すように、本実施形態では、レセプト表示装置２０を用いて、電子レセプトの審査を行なう。このレセプト表示装置２０は、電子レセプトの審査を行なう審査委員が用いるコンピュータシステムである。
【００２０】
レセプト表示装置２０は、制御部２１、コンテンツ記憶部としてのレセプト記憶部２２、審査結果記憶部２３を備えている。このレセプト表示装置２０は、ディスプレイ等から構成される表示部２５、キーボードやポインティングデバイス等から構成される入力部２６に接続されている。
【００２１】
図４に示すように、この表示部２５には、審査委員が電子レセプトの審査時に用いる審査画面１００が出力される。この審査画面１００には、患者情報欄１２０、傷病名欄１３０、表示種別選択欄１４１，１４２、第１摘要欄１５１、第２摘要欄１５２、頁めくりボタン１６０が含まれる。第１摘要欄１５１、第２摘要欄１５２が、第１の表示欄、第２の表示欄として機能する。
【００２２】
患者情報欄１２０には、電子レセプトのレセプト共通情報に含まれる患者に関する情報が出力される。
傷病名欄１３０には、電子レセプトの傷病名情報に含まれる傷病に関する情報が出力される。
第１摘要欄１５１、第２摘要欄１５２には、電子レセプトの摘要情報に含まれる明細（セクション）が行毎に並べて出力される。更に、この明細数が多い場合には、複数の頁（要素範囲としての表示頁）に分けられて出力される。本実施形態では、審査画面１００の各頁欄に対応する該当頁が第１摘要欄１５１、第２摘要欄１５２に表示される。また、第１摘要欄１５１、第２摘要欄１５２には、それぞれスライダ１５３，１５４が設けられている。このスライダ１５３，１５４は、第１摘要欄１５１、第２摘要欄１５２において、スクロールを許容する場合に有効化される。
【００２３】
頁めくりボタン１６０は、電子レセプトの前頁や次頁を表示させるためのアイコンである。この頁めくりボタン１６０は、複数の表示頁に頁めくりを許容する場合に有効化される。
【００２４】
更に、審査画面１００には、医療機関情報欄、レセプト変更ボタン、審査完了ボタンが含まれる。医療機関情報欄には、電子レセプトに含まれる医療機関情報が出力される。レセプト変更ボタンは、審査画面１００に表示させる電子レセプトを変更するためのアイコンである。審査完了ボタンは、この電子レセプトの審査完了を入力するためのアイコンである。
【００２５】
図１に示すように、制御部２１は、図示しないＣＰＵ、ＲＡＭ及びＲＯＭ等を有し、後述する処理（表示管理段階、第１欄制御段階、第２欄制御段階等を含む処理）を行なう。このための表示プログラムを実行することにより、制御部２１は、表示管理部２１０、第１欄制御部２１１、第２欄制御部２１２等として機能する。
【００２６】
表示管理部２１０は、表示部２５に審査画面を出力する処理（表示管理段階）を実行する。この表示管理部２１０は、摘要欄（第１摘要欄１５１、第２摘要欄１５２）に表示される頁の行幅に対応した文字数、行数（頁高）に関するデータを保持している。なお、本実施形態では、第１摘要欄１５１、第２摘要欄１５２のサイズは同じ場合を想定する。
【００２７】
更に、表示管理部２１０は、電子レセプトの摘要情報に含まれる明細を行毎に展開した表示データを記憶するための仮想メモリを備えている。この表示データには、摘要欄（第１摘要欄１５１、第２摘要欄１５２）の頁高に応じて、摘要欄に一度に表示可能な明細の行範囲（頁）に対して頁数が関連付けられている。
【００２８】
更に、縦方向に並べられた配置で表示される明細を、横方向に並べた配置の横書き表示に変更する条件に関するデータを保持する。本実施形態では、相互に関連性があり、横書き表示に変更することができる医療コード（診療行為コード、医薬品コード、特定器材コード等）が記録された横書き対象リストを保持する。
【００２９】
第１欄制御部２１１は、審査画面に出力された第１摘要欄１５１の表示を制御する処理（第１欄制御段階）を実行する。この第１欄制御部２１１は、第１摘要欄１５１に表示させる明細を行毎に展開した表示データを記憶する第１仮想メモリを備えている。この表示データは、第１摘要欄１５１の頁高に応じて、一度に表示可能な明細の行範囲（頁）に対して頁数が関連付けられている。
【００３０】
第２欄制御部２１２は、審査画面に出力された第２摘要欄１５２の表示を制御する処理（第２欄制御段階）を実行する。この第２欄制御部２１２は、第２摘要欄１５２に表示させる明細を行毎に展開した表示データを記憶する第２仮想メモリを備えている。この表示データは、第２摘要欄１５２の頁高に応じて、一度に表示可能な明細の行範囲（頁）に対して頁数が関連付けられている。
【００３１】
図２に示すように、レセプト記憶部２２には、医療機関から提出された電子レセプトについてのレセプトデータ２２０が記録される。このレセプトデータ２２０は、医療機関から提出された電子レセプトを取得したときに記録される。このレセプトデータ２２０は、医療機関情報、レセプト共通情報、保険情報、傷病名情報、摘要情報を含んで構成される。
【００３２】
医療機関情報は、医療機関情報レコードを含んで構成される。この医療機関情報レコードには、都道府県、医療機関コード、請求年月等に関する情報が記録される。
【００３３】
レセプト共通情報は、レセプト共通レコードを含んで構成される。このレセプト共通レコードには、レセプト番号、レセプト種別、診療年月、氏名、男女区分、生年月日等に関する情報が記録される。
【００３４】
保険情報は、保険者レコード、公費レコードを含んで構成される。保険者レコードには、保険者番号、被保険者証等の記号、被保険者証等の番号、診療実日数等に関する情報が記録される。公費レコードには、負担者番号、受給者番号、診療実日数等に関する情報が記録される。
【００３５】
傷病名情報は、傷病名レコードを含んで構成される。この傷病名レコードには、傷病名コード、診療開始日、転帰区分、修飾語コード等に関する情報が記録される。
【００３６】
摘要情報は、診療識別に対する一連の行為についての情報を含んでおり、明細レコード（診療行為レコード、医薬品レコード、特定器材レコード、コメントレコード）から構成されている。更に、診療行為レコードには、診療識別（診療識別コード）、診療行為コード、数量、点数、回数等に関する情報が記録される。医薬品レコードには、診療識別（診療識別コード）、医療品コード、使用量、点数、回数等に関する情報が記録される。特定器材レコードには、診療識別（診療識別コード）、特定器材コード、使用量、点数、回数等に関する情報が記録される。コメントレコードには、診療識別（診療識別コード）、コメントコード、文字データ等に関する情報が記録される。
ここで、１つの医療機関において、レセプト共通レコード〜コメントレコードは、レセプトの枚数分だけ登録される。
【００３７】
図３に示すように、審査結果記憶部２３には、電子レセプトについての審査結果レコード２３０が記録される。この審査結果レコード２３０は、医療機関から提出された電子レセプトを取得した場合に記録され、審査された場合に更新される。この審査結果レコード２３０は、医療機関情報、レセプト共通情報に関連付けて、補正内容、結果が記録される。
【００３８】
医療機関情報、レセプト共通情報は、レセプトデータ２２０と同様に、それぞれ、医療機関情報レコード、レセプト共通レコードを含んで構成される。
補正内容データ領域は、要素及び補正情報であり、このレセプトデータ２２０の明細レコードにおいて、補正された位置（行）及び補正により変更された（修正や追加等）に関する情報が記録される。
【００３９】
結果データ領域には、審査を完了し、審査画面１００の審査完了ボタンが押下された電子レセプトについて、完了フラグが記録される。
【００４０】
次に、図４〜図７を用いて、上記のように構成されたシステムにおいて、電子レセプトの審査処理を行なう場合の処理手順を説明する。
（摘要欄の表示処理）
まず、図４、図５を用いて、摘要欄の表示処理を説明する。
電子レセプトの審査を行なう場合、レセプト表示装置２０において、レセプト表示プログラムを起動する。
【００４１】
この場合、図４に示すように、表示部２５には、審査画面１００が出力される。更に、レセプト表示装置２０の制御部２１は、審査結果記憶部２３において、審査画面１００に表示させるレセプトデータ２２０を特定する。本実施形態では、制御部２１の表示管理部２１０は、結果データ領域に完了フラグが記録されていない審査結果レコード２３０を抽出する。次に、表示管理部２１０は、抽出した審査結果レコード２３０に記録された医療機関情報、レセプト共通情報に基づいて、審査を完了していないレセプトデータ２２０を、レセプト記憶部２２から取得する。そして、表示管理部２１０は、レセプト共通情報に含まれる情報に基づいて（例えばレセプト番号が一番小さい）レセプトデータ２２０を特定する。
【００４２】
次に、表示管理部２１０は、選択されたレセプトデータ２２０に記録されている医療機関情報、レセプト共通情報、保険情報、傷病名情報、摘要情報を取得する。そして、表示管理部２１０は、レセプトデータ２２０から取得した各情報を医療機関情報欄、患者情報欄１２０、傷病名欄１３０に出力する。更に、表示管理部２１０は、レセプトデータ２２０の摘要情報において、記録されているすべての診療識別を特定する。そして、この診療識別をグループ化して、このグループを表わす記号を、表示種別選択欄１４１，１４２に表示する。例えば、表示種別としては、複数桁の番号で表わされた診療識別においては、１０番台、２０番台のように番台区分の数字を用いる。本実施形態では、「全体」、基本診療料等を示す「１０」、投薬を示す「２０」、…、入院料等を示す「９０」の表示種別を表示する。そして、選択された表示種別は太枠で表示し、選択できない表示種別は操作の対象から外れていることを示すグレイアウト（網掛）で表示する。
【００４３】
ここで、図５に示すように、レセプト表示装置２０の制御部２１は、全明細の編集処理を実行する（ステップＳ１−１）。ここでは、制御部２１の表示管理部２１０は、レセプトデータ２２０の摘要情報の明細レコードを取得する。そして、表示管理部２１０は、明細レコードを仮想メモリに展開して、表示データを生成する。この仮想メモリに記録された表示データにおいては、各明細レコードの明細を順番に並べる。そして、表示管理部２１０は、この明細において、補正が行なわれている場合には、補正内容を組み込む。更に、明細の内容に応じて横書き編集を行なう。具体的な処理については、図６（ａ）を用いて後述する。
【００４４】
次に、レセプト表示装置２０の制御部２１は、頁計算処理を実行する（ステップＳ１−２）。具体的には、制御部２１の表示管理部２１０は、仮想メモリに記録された表示データに含まれる明細について、各摘要欄（第１摘要欄１５１、第２摘要欄１５２）に表示可能な行数に応じて頁を割り振る。具体的な処理については、図６（ｂ）を用いて後述する。
【００４５】
次に、レセプト表示装置２０の制御部２１は、表示制御処理を実行する（ステップＳ１−３）。ここでは、表示種別選択欄１４１，１４２における絞り込み条件の設定状況に応じて、第１摘要欄１５１、第２摘要欄１５２に明細を出力する。この場合、第１摘要欄１５１、第２摘要欄１５２において、明細が重複して表示されないように制御する。具体的な処理については、図７を用いて後述する。
【００４６】
（全明細の編集処理）
次に、図６（ａ）を用いて、全明細の編集処理を説明する。ここでは、レセプトデータ２２０の摘要情報に記録されている明細レコードを順次特定し、明細レコード毎に編集処理を繰り返す。
【００４７】
まず、レセプト表示装置２０の制御部２１は、補正があるかどうかについての判定処理を実行する（ステップＳ２−１）。具体的には、制御部２１の表示管理部２１０は、処理対象のレセプトデータ２２０についての審査結果レコード２３０を審査結果記憶部２３から取得する。そして、表示管理部２１０は、この審査結果レコード２３０において、処理対象の明細レコードについての補正内容が記録されているかどうかにより、補正の有無を判定する。
【００４８】
審査結果レコード２３０において、処理対象の明細レコードについての補正内容が記録されており、補正があると判定した場合（ステップＳ２−１において「ＹＥＳ」の場合）、レセプト表示装置２０の制御部２１は、補正編集処理を実行する（ステップＳ２−２）。具体的には、制御部２１の表示管理部２１０は、審査結果レコード２３０に基づいて、必要に応じて仮想メモリに記録された表示データの明細の行数を変更する。例えば、明細を追加する補正がある場合には、表示管理部２１０は、追加された明細についての表示行を追加する。また、明細を修正する補正がある場合には、表示管理部２１０は、修正前の明細の文字列の上に重ねて取消線を表示した見え消しを行ない、修正内容を修正前明細の上段に追加する。ここで、この明細が複数行から構成されており、上段の表示行が同一明細であり、上段の行内に余白がある場合には、この修正を余白に追加する。一方、上段の表示行が異なる明細や、修正を追加できる余白がない場合には、修正内容を表示できるように新たな表示行を追加する。
【００４９】
一方、審査結果レコード２３０において、処理対象の明細レコードについての補正内容が記録されておらず、補正がないと判定した場合（ステップＳ２−１において「ＮＯ」の場合）、レセプト表示装置２０の制御部２１は、補正編集処理（ステップＳ２−２）をスキップする。
【００５０】
次に、レセプト表示装置２０の制御部２１は、横書き対象かどうかについての判定処理を実行する（ステップＳ２−３）。具体的には、制御部２１の表示管理部２１０は、この明細に含まれる医療コード（診療行為コード、医薬品コード、特定器材コード等）を、横書き対象リストにおいて検索する。医療コードが横書き対象リストに含まれている場合には、横書き対象と判定する。
【００５１】
横書き対象と判定した場合（ステップＳ２−３において「ＹＥＳ」の場合）、レセプト表示装置２０の制御部２１は、横書き編集処理を実行する（ステップＳ２−４）。具体的には、制御部２１の表示管理部２１０は、仮想メモリに記録された表示データの明細に含まれる医療コードを、横方向に一列に配置して並べた横書き表示に変更する。そして、横書き表示が第１摘要欄１５１、第２摘要欄１５２の行幅に対応した文字数を超える場合には、表示管理部２１０は、この文字数を越えない範囲で折り返しながら横書きに変更する。
【００５２】
図８（ａ）に示すように、第１摘要欄１５１において、縦方向に並べられた配置で表示された各明細が、相互に関連性があり、横書き表示に変更できる場合を想定する。この場合には、図８（ｂ）に示すように、横書き表示に変更される。
【００５３】
次に、レセプト表示装置２０の制御部２１は、行高の計算処理を実行する（ステップＳ２−５）。具体的には、制御部２１の表示管理部２１０は、横書きに変更した場合に、横書き表示にした範囲（横書き表示範囲）に必要な行高（ここでは、行数）を算出する。
【００５４】
次に、レセプト表示装置２０の制御部２１は、行高が頁高を超えているかどうかについての判定処理を実行する（ステップＳ２−６）。具体的には、制御部２１の表示管理部２１０は、審査画面１００の各摘要欄の頁高（行数）と、横書き表示範囲の行高とを比較する。
【００５５】
行高が頁高を超えていると判定した場合（ステップＳ２−６において「ＹＥＳ」の場合）、レセプト表示装置２０の制御部２１は、横書き解除処理を実行する（ステップＳ２−７）。具体的には、制御部２１の表示管理部２１０は、横書き表示を解除して、縦配列で医療コードを並べる。
【００５６】
図９（ａ）に示すように、第１摘要欄１５１において横書き表示された場合を想定する。ここで、この横書き表示範囲の行高が頁高を超えている場合には、図９（ｂ）に示すように、横書き表示が解除され、第１摘要欄１５１、第２摘要欄１５２において、縦方向に並べられた配置で明細が表示される。
【００５７】
一方、行高が頁高以下と判定した場合（ステップＳ２−６において「ＮＯ」の場合）、レセプト表示装置２０の制御部２１は、横書き解除処理（ステップＳ２−７）をスキップする。
以上の処理を、すべての明細レコードについて終了するまで繰り返す。
【００５８】
（頁計算処理）
次に、図６（ｂ）を用いて、頁計算処理を説明する。この処理は、仮想メモリに記録された表示データの明細行を順次特定し、明細行毎に以下の処理を繰り返す。
【００５９】
まず、レセプト表示装置２０の制御部２１は、行高の計算処理を実行する（ステップＳ３−１）。具体的には、制御部２１の表示管理部２１０は、処理対象の明細の行数（行高）を計算する。
【００６０】
次に、レセプト表示装置２０の制御部２１は、次頁に跨るかどうかについての判定処理を実行する（ステップＳ３−２）。具体的には、制御部２１の表示管理部２１０は、この頁に表示される各明細の行数を合計した全体の行高（この頁の開始行からの行数）と、この頁に表示可能な行数（頁高）とを比較する。ここでは、各明細の行数を算出する際に、補正情報や横書き表示範囲をまとまりとして取り扱う。そして、全体の行高が頁高を超えている場合には、次頁に跨ると判定する。
【００６１】
次頁に跨ると判定した場合（ステップＳ３−２において「ＹＥＳ」の場合）、レセプト表示装置２０の制御部２１は、頁数の加算処理を実行する（ステップＳ３−３）。具体的には、制御部２１の表示管理部２１０は、仮想メモリに記録された表示データにおいて、頁数をカウントアップし、この明細行に関連付けて頁数を記録する。
【００６２】
一方、次頁に跨らないと判定した場合（ステップＳ３−２において「ＮＯ」の場合）、レセプト表示装置２０の制御部２１は、頁数の加算処理（ステップＳ３−３）をスキップする。
以上の処理を、すべての明細行について終了するまで繰り返す。
【００６３】
（表示制御処理）
次に、図７を用いて、絞り込み条件による表示制御処理を説明する。
まず、レセプト表示装置２０の制御部２１は、摘要欄の絞り込み条件があるかどうかについての判定処理を実行する（ステップＳ４−１）。具体的には、制御部２１の表示管理部２１０は、仮想メモリに記録された表示データを、第１欄制御部２１１、第２欄制御部２１２に提供する。この場合、第１欄制御部２１１、第２欄制御部２１２は、取得した表示データを、それぞれ、第１仮想メモリ、第２仮想メモリに記録する。そして、表示管理部２１０は、表示種別選択欄１４１，１４２において絞り込み条件が選択されているかどうかを判定する。ここでは、表示種別選択欄１４１，１４２のいずれにおいても、特定の番台区分（本実施形態では、「１０」〜「９０」）の表示種別の選択を検知できず、「全体」が選択されている場合には、摘要欄の絞り込み条件がないと判定する。
【００６４】
表示種別選択欄１４１，１４２において、特定の番台区分の表示種別の選択を検知できず、摘要欄の絞り込み条件がないと判定した場合（ステップＳ４−１において「ＮＯ」の場合）、レセプト表示装置２０の制御部２１は、第１摘要欄で該当頁以外の明細は非表示処理を実行する（ステップＳ４−２）。具体的には、制御部２１の第１欄制御部２１１は、第１仮想メモリに記録された表示データにおいて、現在の頁（該当頁）を特定する。そして、表示管理部２１０は、第１摘要欄１５１において該当頁のみを出力して、他の頁は非表示にする。
【００６５】
次に、レセプト表示装置２０の制御部２１は、第２摘要欄で該当頁以外の明細は非表示処理を実行する（ステップＳ４−３）。具体的には、制御部２１の第２欄制御部２１２は、第１仮想メモリに記録された表示データにおいて、第１摘要欄１５１において出力されている表示頁の次頁を該当頁として特定する。そして、第２欄制御部２１２は、第２仮想メモリに記録された表示データにおいて、第２摘要欄１５２において該当頁のみを表示して、他の頁は非表示にする。
ここでは、図１０（ａ）に示すように、第１摘要欄１５１、第２摘要欄１５２において、診療識別の順番に明細が表示される。
【００６６】
次に、レセプト表示装置２０の制御部２１は、頁めくり制御処理を実行する（ステップＳ４−４）。具体的には、制御部２１の表示管理部２１０は、仮想メモリに記録された表示データの中で、第１摘要欄１５１、第２摘要欄１５２において表示されていない明細の有無を確認する。そして、表示管理部２１０は、表示されていない明細を検知した場合には、頁めくりボタン１６０を有効化する。この場合、表示管理部２１０は、第１摘要欄１５１のスライダ１５３、第２摘要欄１５２のスライダ１５４を無効化する。
【００６７】
一方、表示種別選択欄１４１，１４２において、少なくとも一方において、特定の番台区分の表示種別の選択を検知し、摘要欄の絞り込み条件があると判定した場合（ステップＳ４−１において「ＹＥＳ」の場合）、レセプト表示装置２０の制御部２１は、絞り込み条件に応じて、第１摘要欄１５１、第２摘要欄１５２の表示制御を行なう。ここで、一方の表示種別選択欄１４１，１４２で表示種別が選択されて絞り込みが行なわれた場合、他方の表示種別選択欄１４１，１４２において、この表示種別を選択できないように制御する。
【００６８】
ここで、絞り込み条件について、第１摘要欄「あり」、第２摘要欄「なし」の場合には、レセプト表示装置２０の制御部２１は、第１摘要欄で絞り込み条件以外の明細は非表示処理を実行する（ステップＳ４−５）。具体的には、制御部２１の第１欄制御部２１１は、第１仮想メモリに記録された表示データにおいて、表示種別選択欄１４１の絞り込み条件（選択された表示種別）に該当する明細を特定する。次に、第１欄制御部２１１は、第１仮想メモリに記録された表示データにおいて、特定した明細以外を非表示に設定する。そして、第１欄制御部２１１は、第１仮想メモリに記録された表示データにおいて、表示可能な明細を第１摘要欄１５１に表示する。
【００６９】
次に、レセプト表示装置２０の制御部２１は、第２摘要欄で絞り込み条件の明細は非表示処理を実行する（ステップＳ４−６）。具体的には、制御部２１の第２欄制御部２１２は、第２仮想メモリに記録された表示データにおいて、表示種別選択欄１４１の絞り込み条件に該当する明細を特定する。次に、第２欄制御部２１２は、第２仮想メモリに記録された表示データにおいて、特定した明細を非表示に設定する。そして、第２欄制御部２１２は、第２仮想メモリに記録された表示データにおいて、表示可能な明細を第２摘要欄１５２に表示する。
【００７０】
ここで、図１０（ｂ）に示すように、表示種別選択欄１４１において「１０」が選択された場合、第１摘要欄１５１には１０番台の診療識別の明細のみが表示される。一方、第２摘要欄１５２には、１０番台の診療識別の明細を非表示にして、１０番台以外の診療識別の順番に明細が表示される。
【００７１】
次に、レセプト表示装置２０の制御部２１は、スライダ制御処理を実行する（ステップＳ４−７）。具体的には、制御部２１の第１欄制御部２１１、第２欄制御部２１２は、それぞれの仮想メモリに記録された明細の中で、第１摘要欄１５１、第２摘要欄１５２において表示されていない明細の有無を確認する。そして、第１欄制御部２１１は、表示されていない明細を検知した場合には、第１摘要欄１５１のスライダ１５３を有効化する。また、第２欄制御部２１２は、表示されていない明細を検知した場合には、第２摘要欄１５２のスライダ１５４を有効化してスクロールできるようにする。この場合、表示管理部２１０は、頁めくりボタン１６０を無効化する。
【００７２】
次に、絞り込み条件について、第１摘要欄「なし」、第２摘要欄「あり」の場合には、レセプト表示装置２０の制御部２１は、第１摘要欄で絞り込み条件の明細は非表示処理を実行する（ステップＳ４−８）。具体的には、制御部２１の第１欄制御部２１１は、第１仮想メモリに記録された表示データにおいて、表示種別選択欄１４２の絞り込み条件（選択された表示種別）に該当する明細を特定する。次に、第１欄制御部２１１は、第１仮想メモリに記録された表示データにおいて、特定した明細を非表示に設定する。そして、第１欄制御部２１１は、第１仮想メモリに記録された表示データにおいて、表示可能な明細を第１摘要欄１５１に表示する。
【００７３】
次に、レセプト表示装置２０の制御部２１は、第２摘要欄で絞り込み条件以外の明細は非表示処理を実行する（ステップＳ４−９）。具体的には、制御部２１の第２欄制御部２１２は、第２仮想メモリに記録された表示データにおいて、表示種別選択欄１４２の絞り込み条件に該当する明細を特定する。次に、第２欄制御部２１２は、第２仮想メモリに記録された表示データにおいて、特定した明細以外を非表示に設定する。そして、第２欄制御部２１２は、第２仮想メモリに記録された表示データにおいて、表示可能な明細を第２摘要欄１５２に表示する。
【００７４】
そして、レセプト表示装置２０の制御部２１は、スライダ制御処理を実行する（ステップＳ４−７）。この場合も、表示管理部２１０は、スライダを有効化するとともに、頁めくりボタン１６０を無効化する。
【００７５】
また、絞り込み条件について、第１摘要欄「あり」、第２摘要欄「あり」の場合、レセプト表示装置２０の制御部２１は、第１摘要欄で絞り込み条件以外の明細は非表示処理を実行する（ステップＳ４−１０）。具体的には、制御部２１の第１欄制御部２１１は、第１仮想メモリに記録された表示データにおいて、表示種別選択欄１４１の絞り込み条件（選択された表示種別）に該当する明細を特定する。次に、第１欄制御部２１１は、第１仮想メモリにおいて、特定した明細以外を非表示に設定する。そして、第１欄制御部２１１は、第１仮想メモリに記録された表示データにおいて、表示可能な明細を第１摘要欄１５１に表示する。
【００７６】
次に、レセプト表示装置２０の制御部２１は、第２摘要欄で絞り込み条件以外の明細は非表示処理を実行する（ステップＳ４−１１）。具体的には、制御部２１の第２欄制御部２１２は、第２仮想メモリに記録された表示データにおいて、表示種別選択欄１４２の絞り込み条件（選択された表示種別）に該当する明細を特定する。次に、第２欄制御部２１２は、第２仮想メモリに記録された表示データにおいて、特定した明細以外を非表示に設定する。そして、第２欄制御部２１２は、第２仮想メモリに記録された表示データにおいて、表示可能な明細を第２摘要欄１５２に表示する。
【００７７】
ここで、図１０（ｃ）に示すように、表示種別選択欄１４１において「１０」が選択され、表示種別選択欄１４２において「２０」が選択された場合、第１摘要欄１５１には１０番台の診療識別の明細のみが表示される。一方、第２摘要欄１５２には、２０番台の診療識別の明細のみが表示される。
【００７８】
そして、レセプト表示装置２０の制御部２１は、スライダ制御処理を実行する（ステップＳ４−７）。この場合も、表示管理部２１０は、スライダを有効化するとともに、頁めくりボタン１６０を無効化する。
【００７９】
本実施形態によれば、以下のような効果を得ることができる。
（１）本実施形態においては、レセプト表示装置２０の制御部２１は、全明細の編集処理（ステップＳ１−１）、頁計算処理（ステップＳ１−２）、表示制御処理（ステップＳ１−３）を実行する。
【００８０】
そして、表示種別選択欄１４１，１４２において絞り込み条件が選択されておらず、摘要欄の絞り込み条件がないと判定した場合（ステップＳ４−１において「ＮＯ」の場合）、レセプト表示装置２０の制御部２１は、第１摘要欄で該当頁以外の明細は非表示処理を実行する（ステップＳ４−２）。更に、制御部２１は、第２摘要欄で該当頁以外の明細は非表示処理を実行する（ステップＳ４−３）。これにより、複数の摘要欄に、電子レセプトの明細が出力されるので、明細数が多い場合にも、全体を見通しながら審査することができる。また、複数の摘要欄において、明細が重複して出力されないので、見誤りを抑制することができる。
【００８１】
絞り込み条件について、第１摘要欄「あり」、第２摘要欄「なし」の場合には、レセプト表示装置２０の制御部２１は、第１摘要欄で絞り込み条件以外の明細は非表示処理を実行する（ステップＳ４−５）。更に、制御部２１は、第２摘要欄で絞り込み条件の明細は非表示処理を実行する（ステップＳ４−６）。また、絞り込み条件について、第１摘要欄「なし」、第２摘要欄「あり」の場合には、レセプト表示装置２０の制御部２１は、第１摘要欄で絞り込み条件の明細は非表示処理を実行する（ステップＳ４−８）。更に、制御部２１は、第２摘要欄で絞り込み条件以外の明細は非表示処理を実行する（ステップＳ４−９）。これにより、一方の摘要欄で絞り込みを行ないながら、他方の摘要欄で残りの明細を確認することができる。更に、いずれか一方の摘要欄において絞り込みを行なうことができる。
【００８２】
絞り込み条件について、第１摘要欄「あり」、第２摘要欄「あり」の場合、レセプト表示装置２０の制御部２１は、第１摘要欄で絞り込み条件以外の明細は非表示処理を実行する（ステップＳ４−１０）。更に、制御部２１は、第２摘要欄で絞り込み条件以外の明細は非表示処理を実行する（ステップＳ４−１１）。これにより、両方の摘要欄を利用しながら、別々の絞り込みを行なうことができる。
【００８３】
（２）本実施形態においては、レセプト表示装置２０の制御部２１は、補正があるかどうかについての判定処理を実行する（ステップＳ２−１）。補正があると判定した場合（ステップＳ２−１において「ＹＥＳ」の場合）、レセプト表示装置２０の制御部２１は、補正編集処理を実行する（ステップＳ２−２）。これにより、補正がある場合にも、補正前後の内容を確認することができる。
【００８４】
（３）本実施形態においては、レセプト表示装置２０の制御部２１は、横書き対象かどうかについての判定処理を実行する（ステップＳ２−３）。横書き対象と判定した場合（ステップＳ２−３において「ＹＥＳ」の場合）、レセプト表示装置２０の制御部２１は、横書き編集処理を実行する（ステップＳ２−４）。これにより、相互に関連性がある明細については、横方向に配置した形態でまとめることで、表示する行数を減らすことができる。
【００８５】
また、レセプト表示装置２０の制御部２１は、行高の計算処理を実行する（ステップＳ２−５）。行高が頁高を超えていると判定した場合（ステップＳ２−６において「ＹＥＳ」の場合）、レセプト表示装置２０の制御部２１は、横書き解除処理を実行する（ステップＳ２−７）。これにより、医療コードを横に配列させた横書き表示が、２つの摘要欄に跨り、まとめて表示できない場合には、縦配列に戻して表示させることができる。
【００８６】
（４）本実施形態においては、レセプト表示装置２０の制御部２１は、行高の計算処理を実行する（ステップＳ３−１）。次頁に跨ると判定した場合（ステップＳ３−２において「ＹＥＳ」の場合）、レセプト表示装置２０の制御部２１は、頁数の加算処理を実行する（ステップＳ３−３）。これにより、まとまりがある明細を分割することなく、まとめて表示させることができる。そして、一つのまとまりとして確認を行なうことができる。
【００８７】
なお、上記実施形態は以下のように変更してもよい。
・  上記実施形態では、レセプトの審査に表示方法を適用したが、適用対象は電子レセプトに限定されるものではなく、コンテンツを複数の表示欄に分けて出力する場合に利用することができる。
また、上記実施形態では、２つの第１摘要欄１５１、第２摘要欄１５２を用いる。表示欄の数は２つに限定されるものではなく、複数の表示欄に適用することができる。
【００８８】
・  上記実施形態では、制御部２１、レセプト記憶部２２、審査結果記憶部２３を備えたレセプト表示装置２０を用いる。ハードウェア構成は、これに限定されるものではなく、例えば、サーバ・クライアント方式を用いることも可能である。この場合には、レセプト記憶部２２、審査結果記憶部２３をサーバに設ける。そして、審査委員はクライアント端末を用いてサーバにアクセスして、電子レセプトの審査を行なう。
【００８９】
・  上記実施形態では、レセプト表示装置２０の制御部２１は、全明細の編集処理（ステップＳ１−１）、頁計算処理（ステップＳ１−２）を実行する。ここで、レセプト表示装置２０において、フォント種類やフォントサイズを変更できるようにしてもよい。レセプト表示装置２０の制御部２１は、文字のフォント種類やフォントサイズの変更を検知した場合、行幅に対応した文字数、行高を変更して、全明細の編集処理（ステップＳ１−１）、頁計算処理（ステップＳ１−２）を再実行する。
【００９０】
・  上記実施形態では、レセプト表示装置２０の制御部２１は、絞り込み条件による表示制御処理を実行する（ステップＳ１−３）。これに加えて、相互に関連する明細を表示する関連明細表示処理を実行するようにしてもよい。ここでは、指定された明細に関連する他の明細を表示する関連明細表示処理を実行する。この場合、レセプト表示装置２０において、相互に関連がある医療コード（診療行為コード、医薬品コード、特定器材コード等）を記録した関連情報記憶部を設ける。そして、レセプト表示装置２０の制御部２１は、相互に関連する明細を表示する関連明細表示処理を実行する。
【００９１】
図１１を用いて、この関連明細表示処理を説明する。
ここでは、まず、レセプト表示装置２０の制御部２１は、関連明細の検索処理を実行する（ステップＳ５−１）。具体的には、審査画面１００において、関連明細を調べる明細を指定する。ここでは、第１摘要欄１５１において、明細を指定する場合を想定するが、第２摘要欄１５２において指定することも可能である。この場合、制御部２１の表示管理部２１０は、審査画面１００の第１摘要欄１５１で指定された明細（指定明細）にマーカを表示するとともに、この明細の医療コードを取得する。そして、表示管理部２１０は、この医療コードを関連情報記憶部において検索する。
【００９２】
次に、レセプト表示装置２０の制御部２１は、関連明細があるかどうかについての判定処理を実行する（ステップＳ５−２）。具体的には、制御部２１の表示管理部２１０は、関連情報記憶部において、指定明細の医療コードに関連付けられている他の医療コード（関連医療コード）を検出した場合、この関連医療コードが、レセプトデータ２２０の摘要情報に記録されているかどうかを検索する。そして、表示管理部２１０は、レセプトデータ２２０の摘要情報において関連医療コードを検出した場合、関連明細があると判定する。一方、関連情報記憶部において関連医療コードが記録されていない場合や、レセプトデータ２２０の摘要情報において関連医療コードについての明細を抽出できない場合には、関連明細はないと判定する。
【００９３】
関連明細がないと判定した場合（ステップＳ５−２において「ＮＯ」の場合）、レセプト表示装置２０の制御部２１は、メッセージ出力処理を実行する（ステップＳ５−３）。具体的には、制御部２１の表示管理部２１０は、関連明細がないことを示したメッセージを出力する。
【００９４】
一方、関連明細があると判定した場合（ステップＳ５−２において「ＹＥＳ」の場合）、レセプト表示装置２０の制御部２１は、関連明細の位置の特定処理を実行する（ステップＳ５−４）。具体的には、制御部２１の表示管理部２１０は、仮想メモリにおいて、関連明細が含まれている位置を特定する。そして、表示管理部２１０は、仮想メモリにおいて、この位置が含まれる頁を特定する。
【００９５】
次に、レセプト表示装置２０の制御部２１は、関連明細を同一頁に表示可能かどうかについての判定処理を実行する（ステップＳ５−５）。具体的には、制御部２１の表示管理部２１０は、関連明細が、指定明細が含まれる頁（第１摘要欄１５１）に含まれている場合には、同一頁に表示可能と判定する。
【００９６】
関連明細を同一頁に表示可能と判定した場合（ステップＳ５−５において「ＹＥＳ」の場合）、レセプト表示装置２０の制御部２１は、同一頁でマーカ表示処理を実行する（ステップＳ５−６）。具体的には、制御部２１の表示管理部２１０は、同一頁である第１摘要欄１５１に表示された関連明細を識別できるように、マーカを表示する。例えば、特定の記号を付与したり、特定色で表示したりする。
【００９７】
一方、関連明細を同一頁に表示不可と判定した場合（ステップＳ５−５において「ＮＯ」の場合）、レセプト表示装置２０の制御部２１は、複数頁の表示処理を実行する（ステップＳ５−７）。具体的には、制御部２１の表示管理部２１０は、仮想メモリに記録された表示データにおいて、関連明細が含まれる頁を、他の摘要欄（ここでは、第２摘要欄１５２）に表示する。そして、表示管理部２１０は、第２摘要欄１５２に表示された関連明細にマーカを表示する。
【００９８】
これにより、関連明細を確認しながら、審査を行なうことができる。例えば、関連明細として、併用できない診療行為や医薬品を登録しておくことにより、問題がある電子レセプトを効率的に審査することができる。
【００９９】
・  上記実施形態では、レセプト表示装置２０の制御部２１は、絞り込み条件による表示制御処理を実行する（ステップＳ１−３）。これに加えて、確認を要する可能性がある明細を表示するようにしてもよい。この場合には、関連情報記憶部に、確認が必要な傷病名コードや医療コード（診療行為コード、医薬品コード、特定器材コード等）に対して、関連する医療コード（関連医療コード）を登録しておく。そして、レセプト表示装置２０の制御部２１は、確認を要する可能性がある明細を表示する関連明細表示処理を実行する。
【０１００】
図１２を用いて、この関連明細表示処理を説明する。
ここでは、まず、レセプト表示装置２０の制御部２１は、確認が必要な明細の検索処理を実行する（ステップＳ６−１）。具体的には、制御部２１の表示管理部２１０は、レセプトデータ２２０において、関連情報記憶部に記録されている傷病名コードや医療コードが含まれているかどうかを検索する。
【０１０１】
レセプト表示装置２０の制御部２１は、確認が必要かどうかについての判定処理を実行する（ステップＳ６−２）。具体的には、制御部２１の表示管理部２１０は、関連情報記憶部に記録されている傷病名コード、医療コードと、レセプトデータ２２０の傷病名情報に記録されている傷病名コードや摘要情報に記録されている医療コードとに基づいて判定する。ここで、関連情報記憶部に登録されている傷病名コード、医療コードがレセプトデータ２２０に記録されていない場合には、確認が不要と判定する。一方、関連情報記憶部に登録されている傷病名コード、医療コードがレセプトデータ２２０に記録されている場合は、確認が必要と判定する。
【０１０２】
確認が不要と判定した場合（ステップＳ６−２において「ＮＯ」の場合）、レセプト表示装置２０の制御部２１は、関連明細表示処理を終了する。
一方、確認が必要と判定した場合（ステップＳ６−２において「ＹＥＳ」の場合）、レセプト表示装置２０の制御部２１は、関連明細があるかどうかについての判定処理を実行する（ステップＳ６−３）。具体的には、制御部２１の表示管理部２１０は、確認が必要と判定した傷病名コードや医療コードに関連付けられた関連医療コードを、関連情報記憶部から取得する。そして、表示管理部２１０は、レセプトデータ２２０において、特定した関連医療コードを検索する。特定した関連医療コードがレセプトデータ２２０に記録されていない場合には、関連明細がないと判定する。
【０１０３】
関連明細がないと判定した場合（ステップＳ６−３において「ＮＯ」の場合）、レセプト表示装置２０の制御部２１は、不足事項の表示処理を実行する（ステップＳ６−４）。具体的には、制御部２１の表示管理部２１０は、関連明細（関連医療コード）が電子レセプトにおいて不足していることを示すメッセージを表示部２５に出力する。
【０１０４】
一方、関連明細があると判定した場合（ステップＳ６−３において「ＹＥＳ」の場合）、レセプト表示装置２０の制御部２１は、ステップＳ５−４と同様に、関連明細の位置の特定処理を実行する（ステップＳ６−５）。
【０１０５】
次に、レセプト表示装置２０の制御部２１は、ステップＳ５−５と同様に、関連明細を同一頁に表示可能かどうかについての判定処理を実行する（ステップＳ６−６）。
関連明細を同一頁に表示可能と判定した場合（ステップＳ６−６において「ＹＥＳ」の場合）、レセプト表示装置２０の制御部２１は、ステップＳ５−６と同様に、同一頁でマーカ表示処理を実行する（ステップＳ６−７）。
【０１０６】
一方、関連明細を同一頁に表示不可と判定した場合（ステップＳ６−６において「ＮＯ」の場合）、レセプト表示装置２０の制御部２１は、ステップＳ５−７と同様に、複数頁の表示処理を実行する（ステップＳ６−８）。
これにより、注意すべき傷病や診療内容を確認しながら審査を行なうことができる。
【０１０７】
・  上記実施形態では、レセプト表示装置２０の制御部２１は、絞り込み条件による表示制御処理を実行する（ステップＳ１−３）。これに加えて、同一患者の過去分の電子レセプトを表示させるようにしてもよい。この場合には、レセプト表示装置２０のレセプト記憶部２２に、審査対象のレセプトデータ２２０の他に、過去のレセプトデータ２２０についても記録しておく。そして、レセプト表示装置２０の制御部２１は、同一患者のレセプトに含まれる関連する明細を表示する関連明細表示処理を実行する。
【０１０８】
図１３を用いて、この関連明細表示処理を説明する。
ここでは、まず、レセプト表示装置２０の制御部２１は、明細の指定処理を実行する（ステップＳ７−１）。具体的には、審査委員は、審査画面１００において、確認を希望する明細を指定する。ここでは、第１摘要欄１５１に表示された明細を指定する場合を想定する。この場合、制御部２１の表示管理部２１０は、このレセプトデータ２２０の摘要情報から医療コードを取得する。
【０１０９】
次に、レセプト表示装置２０の制御部２１は、関連する医療コードの特定処理を実行する（ステップＳ７−２）。具体的には、制御部２１の表示管理部２１０は、取得した医療コード（指定医療コード）に関連付けられた関連医療コードを関連情報記憶部から取得する。
【０１１０】
次に、レセプト表示装置２０の制御部２１は、過去の電子レセプトの検索処理を実行する（ステップＳ７−３）。具体的には、制御部２１の表示管理部２１０は、このレセプトデータ２２０において、患者特定情報を取得する。ここでは、患者特定情報として、保険情報の保険者番号、被保険者証等の記号、被保険者証等の番号等を用いる。なお、ここで、患者特定情報として、更に、レセプト共通情報の男女区分、生年月日等を用いることも可能である。そして、表示管理部２１０は、レセプト記憶部２２において、同一の患者特定情報が記録されている過去のレセプトデータ２２０を検索する。
【０１１１】
次に、レセプト表示装置２０の制御部２１は、関連明細があるかどうかについての判定処理を実行する（ステップＳ７−４）。具体的には、制御部２１の表示管理部２１０は、同一の患者特定情報が記録されている過去のレセプトデータ２２０を抽出できた場合、過去のレセプトデータ２２０において、指定医療コード又は関連医療コードが記録されているかどうかを判定する。過去のレセプトデータ２２０において、指定医療コード又は関連医療コードが記録されている場合には、関連明細があると判定する。一方、レセプト記憶部２２から、同一の患者特定情報が記録されている過去のレセプトデータ２２０を抽出できない場合や、指定医療コード又は関連医療コードが記録されているレセプトデータ２２０を抽出できない場合、関連明細がないと判定する。
【０１１２】
関連明細がないと判定した場合（ステップＳ７−４において「ＮＯ」の場合）、レセプト表示装置２０の制御部２１は、メッセージ出力処理を実行する（ステップＳ７−５）。具体的には、制御部２１の表示管理部２１０は、関連明細がないことを示すメッセージを表示部２５に出力する。
【０１１３】
一方、関連明細があると判定した場合（ステップＳ７−４において「ＹＥＳ」の場合）、レセプト表示装置２０の制御部２１は、指定明細の表示処理を実行する（ステップＳ７−６）。具体的には、制御部２１の表示管理部２１０は、審査画面１００の第１摘要欄１５１において指定された指定明細に対してマーカを表示する。
【０１１４】
次に、レセプト表示装置２０の制御部２１は、関連明細の表示処理を実行する（ステップＳ７−７）。具体的には、制御部２１の表示管理部２１０は、抽出した過去のレセプトデータ２２０について、前述した全明細の編集処理、頁計算処理を実行する。そして、表示管理部２１０は、仮想メモリに記録された表示データにおいて、関連明細が含まれている位置を特定する。そして、表示管理部２１０は、仮想メモリにおいて、この位置が含まれる頁を特定し、第２摘要欄１５２に表示する。この場合、表示管理部２１０は、関連明細に対して、マーカを表示する。
これにより、過去の医療記録を参照しながら、審査を行なうことができる。
【０１１５】
なお、ここでは、同一患者のレセプトに含まれる関連明細を表示する場合を説明した。表示させる関連明細は、これに限定されるものではない。例えば、第１摘要欄１５１において指定された指定明細に対して、以下の関連明細を第２摘要欄１５２に表示させることも可能である。
【０１１６】
（ａ）同一患者が同一月に複数の医療機関を利用した場合の各レセプトに含まれる明細の表示。
この場合には、制御部２１の表示管理部２１０は、レセプト記憶部２２から、同一月のレセプトデータ２２０であって、患者特定情報が共通するレセプトデータ２２０を抽出する。ここでは、患者特定情報として、保険情報の保険者番号、被保険者証等の記号、被保険者証等の番号等を用いる。なお、患者特定情報として、更に、レセプト共通情報の男女区分、生年月日等を用いることも可能である。そして、表示管理部２１０は、このレセプトデータ２２０に記録された摘要情報に記録された明細を関連明細として抽出する。
【０１１７】
（ｂ）同一患者が同一月に医療機関や調剤薬局を利用した場合の各レセプト（医科レセプトや歯科レセプトと調剤レセプトとの組み合わせ）に含まれる明細の表示。
この場合には、制御部２１の表示管理部２１０は、レセプト記憶部２２から、同一月のレセプトデータ２２０であって、患者特定情報が共通するレセプトデータ２２０を抽出する。ここでも、上述と同様に、患者特定情報として、保険情報の保険者番号、被保険者証等の記号、被保険者証等の番号等や、レセプト共通情報の男女区分、生年月日等を用いることが可能である。更に、医科レセプトや歯科レセプトの医療機関情報（医療機関コード）と、調剤レセプトにおける医療機関情報（処方せんを発行した医療機関の医療機関コード）が共通するレセプトデータ２２０を絞り込む。そして、表示管理部２１０は、このレセプトデータ２２０に記録された摘要情報に記録された明細を関連明細として抽出する。
【０１１８】
（ｃ）該当診療行為等に関する補正例（審査結果）の表示。
ここでは、審査画面１００において、所望の明細（該当医療コード）を指定する。この場合、制御部２１の表示管理部２１０は、レセプト記憶部２２から、摘要情報に該当医療コードが記録されたレセプトデータ２２０を抽出する。更に、表示管理部２１０は、このレセプトデータ２２０に関連する審査結果レコード２３０を、審査結果記憶部２３から取得する。更に、表示管理部２１０は、該当医療コードに関する補正内容が記録されている審査結果レコード２３０を絞り込む。次に、表示管理部２１０は、絞り込まれた審査結果レコード２３０についてのレセプトデータ２２０を特定する。そして、表示管理部２１０は、このレセプトデータ２２０の摘要情報に記録された該当医療コードの明細を関連明細として抽出する。この場合、表示管理部２１０は、審査画面１００において、抽出した関連明細及び補正内容を含む頁を表示する。
【０１１９】
・  上記実施形態では、レセプト表示装置２０の制御部２１は、絞り込み条件による表示制御処理を実行する（ステップＳ１−３）。これに加えて、審査委員が使用するコンピュータ端末に応じて審査対象を絞り込むようにしてもよい。この場合には、例えば、デスクトップ端末やポータブル端末等のように、端末の種類に対応して、優先的に審査を行なうレセプトデータ２２０を表示するための制御情報を登録した表示制御情報記憶部を設ける。この制御情報としては、表示条件や抽出条件があり、例えば、以下のようなものを用いることができる。
【０１２０】
・表示条件：明細数が少ない電子レセプトを優先
・抽出条件：明細数が基準数以下の電子レセプトのみ
・抽出条件：特定の傷病名コード、診療識別、医療コード（診療行為コード、医薬品コード、特定器材コード等）が含まれない電子レセプトのみ抽出
【０１２１】
そして、レセプト表示装置２０の制御部２１は、端末の種類を特定して、審査を行なうレセプトデータ２２０を表示する明細表示制御処理を実行する。
図１４を用いて、この明細表示制御処理を説明する。
ここでは、まず、レセプト表示装置２０の制御部２１は、端末の種類の特定処理を実行する（ステップＳ８−１）。具体的には、制御部２１の表示管理部２１０は、使用している端末の種類を選択する画面を出力する。そして、表示管理部２１０は、この画面において、端末の種類を特定する。なお、レセプト表示装置２０の制御部２１が保持しているシステム情報に基づいて、端末の種類を特定するようにしてもよい。
【０１２２】
次に、レセプト表示装置２０の制御部２１は、端末の種類に応じて、審査対象の特定処理を実行する（ステップＳ８−２）。具体的には、制御部２１の表示管理部２１０は、表示制御情報記憶部から、端末の種類に応じた制御情報を取得する。そして、制御情報において抽出条件が設定されている場合には、表示管理部２１０は、レセプト記憶部２２から、制御情報に基づいて、審査対象のレセプトデータ２２０を抽出する。
【０１２３】
次に、レセプト表示装置２０の制御部２１は、審査対象の出力処理を実行する（ステップＳ８−３）。具体的には、制御情報において抽出条件が設定されている場合には、制御部２１の表示管理部２１０は、抽出したレセプトデータ２２０を、表示部２５に出力する。また、制御情報において表示条件が設定されている場合には、表示管理部２１０は、表示条件に基づいて並び替えたレセプトデータ２２０を、表示部２５に出力する。
これにより、審査委員の端末の種類を考慮して、制御を行なうことができる。
【０１２４】
なお、審査対象を絞り込む条件は、審査委員が使用するコンピュータ端末の種類に限定されるものではない。レセプトデータ２２０の内容や、審査委員の属性（例えば専門分野）に応じて、絞り込んだり、表示順番を変更したりするようにしてもよい。
【０１２５】
ここで、レセプトデータ２２０の内容に基づいて表示制御を行なう場合には、表示制御情報記憶部の制御情報として、優先的に表示させる傷病名コード、診療識別コード、医療コード等を記録しておく。
【０１２６】
また、審査委員の属性に基づいて表示制御を行なう場合には、レセプト表示装置２０に各審査委員の属性（例えば、専門分野）を記録した審査委員情報記憶部を設ける。更に、表示制御情報記憶部の制御情報には、専門に応じて、優先的に表示させる傷病名コード、診療識別コード、医療コード等を記録しておく。次に、レセプト表示装置２０の制御部２１は、審査を行なう審査委員を特定して、審査委員情報記憶部において、この審査委員の専門分野を取得する。そして、制御部２１は、取得した専門分野に対応した傷病名コード、診療識別コード、医療コード等が含まれるレセプトデータ２２０を優先的に表示する。
【０１２７】
・  上記実施形態では、レセプト表示装置２０の制御部２１は、絞り込み条件による表示制御処理を実行する（ステップＳ１−３）。これに加えて、傷病名が選択された場合、対応する明細を特定できるようにしてもよい。この場合には、関連情報記憶部に、傷病名コードに対して、関連する医療コード（関連医療コード）を登録しておく。そして、審査画面１００の傷病名欄１３０において、傷病が指定された場合、レセプト表示装置２０の制御部２１は、指定された傷病名コードに関連する関連医療コードを、関連情報記憶部から抽出する。次に、制御部２１は、仮想メモリに記録された表示データにおいて、関連医療コードが記録されている位置を特定する。次に、制御部２１は、仮想メモリにおいて、この位置が含まれる頁を特定する。そして、制御部２１は、この頁を第１摘要欄１５１に表示する。この場合、第１摘要欄１５１に表示された関連明細に対して、マーカを表示する。また、異なる頁に関連医療コードが記録されている場合には、仮想メモリにおいて、この位置を特定する。そして、制御部２１は、この頁を第２摘要欄１５２に表示する。この場合にも、第２摘要欄１５２に表示された関連明細に対して、マーカを表示する。これにより、傷病に対応する明細を、効率的に確認することができる。
【符号の説明】
【０１２８】
１００…審査画面、１２０…患者情報欄、１３０…傷病名欄、１４１，１４２…表示種別選択欄、１５１…第１摘要欄、１５２…第２摘要欄、２０…レセプト表示装置、２１…制御部、２１０…表示管理部、２１１…第１欄制御部、２１２…第２欄制御部、２２…レセプト記憶部、２３…審査結果記憶部、２５…表示部、２６…入力部。
【図１】
2014215810.tif 000003
【図２】
2014215810.tif 000004
【図３】
2014215810.tif 000005
【図４】
2014215810.tif 000006
【図５】
2014215810.tif 000007
【図６】
2014215810.tif 000008
【図７】
2014215810.tif 000009
【図８】
2014215810.tif 000010
【図９】
2014215810.tif 000011
【図１０】
2014215810.tif 000012
【図１１】
2014215810.tif 000013
【図１２】
2014215810.tif 000014
【図１３】
2014215810.tif 000015
【図１４】
2014215810.tif 000016
【手続補正書】
【提出日】平成26年7月4日(2014.7.4)
【手続補正１】
【補正対象書類名】特許請求の範囲
【補正対象項目名】全文
【補正方法】変更
【補正の内容】
【特許請求の範囲】
【請求項１】
表示対象コンテンツとして、摘要情報に複数の明細が含まれる電子レセプトを記憶したコンテンツ記憶部と、
表示部に接続された制御部とを備えた表示システムであって、
前記制御部が、
前記表示部に第１の表示欄と第２の表示欄とを出力し、
前記コンテンツ記憶部において、前記第１、第２の表示欄に出力する電子レセプトを特定し、
前記電子レセプトの摘要情報に含まれる明細において、頁の開始行から、前記摘要情報に記載された情報に基づいてまとまりとして取り扱う明細を分割することなく、各明細の行数を合計した全体の行高を順次、計算し、前記計算した行高が、頁の表示可能な頁高を超えている場合には、前記まとまりがある明細に対してカウントアップした頁数を記録し、
前記第１の表示欄に出力する頁の明細範囲を特定し、
前記第２の表示欄において、カウントアップした頁の明細を出力することを特徴とする表示システム。
【請求項２】
前記制御部が、前記電子レセプトにおいて、摘要情報の明細の補正情報を取得した場合、前記明細及び補正情報を一つのまとまりとして行高の計算を行なうことを特徴とする請求項１に記載の表示システム。
【請求項３】
前記各表示欄に対応して、それぞれの絞り込み条件を設定するための表示種別欄が設けられており、
前記制御部が、
一方の表示種別欄において、表示対象コンテンツの絞り込み条件を取得した場合、前記絞り込み条件に該当する摘要情報の明細を特定し、
前記特定した明細を、前記表示種別欄に対応する前記表示欄において表示し、前記表示種別欄において絞り込み条件が設定されていない表示欄には、前記絞り込み条件に該当しない明細を表示することを特徴とする請求項１又は２に記載の表示システム。
【請求項４】
前記表示対象コンテンツに含まれる複数の明細について関連性が記録された関連情報記憶部を更に備え、
前記制御部が、
前記第１の表示欄において、特定の明細の指定を検知した場合、前記指定された明細と関連性がある他の明細を特定し、
前記他の明細が前記第１の表示欄に表示されていない場合には、前記第２の表示欄に表示することを特徴とする請求項１〜３のいずれか一つに記載の表示システム。
【請求項５】
前記制御部が、
前記第１の表示欄において、特定の明細の指定を検知した場合、前記表示対象コンテンツに関連する他のコンテンツを前記コンテンツ記憶部から抽出し、
前記他のコンテンツにおいて、前記特定の明細と関連性がある明細を特定し、前記第２の表示欄に表示することを特徴とする請求項１〜４のいずれか一つに記載の表示システム。
【請求項６】
前記制御部が、関連性がある複数の明細が連続して縦方向に並べられた配置を検知した場合、前記複数の明細を表示欄の横幅に合わせて、明細を横方向に並べた配置の横書き表示を行なうことを特徴とする請求項１〜５のいずれか一つに記載の表示システム。
【請求項７】
前記制御部が、前記横書き表示が一つの表示欄に収まらないと判定した場合には、前記横書き表示を解除して元の配置に戻すことを特徴とする請求項６に記載の表示システム。
【請求項８】
表示対象コンテンツとして、摘要情報に複数の明細が含まれる電子レセプトを記憶したコンテンツ記憶部と、
表示部に接続された制御部とを備えた表示システムを用いて、前記表示対象コンテンツを表示する方法であって、
前記制御部が、
前記表示部に第１の表示欄と第２の表示欄とを出力し、
前記コンテンツ記憶部において、前記第１、第２の表示欄に出力する電子レセプトを特定し、
前記電子レセプトの摘要情報に含まれる明細において、頁の開始行から、前記摘要情報に記載された情報に基づいてまとまりとして取り扱う明細を分割することなく、各明細の行数を合計した全体の行高を順次、計算し、前記計算した行高が、頁の表示可能な頁高を超えている場合には、前記まとまりがある明細に対してカウントアップした頁数を記録し、
前記第１の表示欄に出力する頁の明細範囲を特定し、
前記第２の表示欄において、カウントアップした頁の明細を出力することを特徴とする表示方法。
【請求項９】
表示対象コンテンツとして、摘要情報に複数の明細が含まれる電子レセプトを記憶したコンテンツ記憶部と、
表示部に接続された制御部とを備えた表示システムを用いて、前記表示対象コンテンツを表示するためのプログラムであって、
前記制御部を、
前記表示部に第１の表示欄と第２の表示欄とを出力し、
前記コンテンツ記憶部において、前記第１、第２の表示欄に出力する電子レセプトを特定し、
前記電子レセプトの摘要情報に含まれる明細において、頁の開始行から、前記摘要情報に記載された情報に基づいてまとまりとして取り扱う明細を分割することなく、各明細の行数を合計した全体の行高を順次、計算し、前記計算した行高が、頁の表示可能な頁高を
超えている場合には、前記まとまりがある明細に対してカウントアップした頁数を記録し、
前記第１の表示欄に出力する頁の明細範囲を特定し、
前記第２の表示欄において、カウントアップした頁の明細を出力する手段として機能させることを特徴とする表示プログラム。
【手続補正２】
【補正対象書類名】明細書
【補正対象項目名】０００８
【補正方法】変更
【補正の内容】
【０００８】
（１）上記課題を解決するための表示システムは、表示対象コンテンツとして、摘要情報に複数の明細が含まれる電子レセプトを記憶したコンテンツ記憶部と、表示部に接続された制御部とを備える。そして、前記制御部が、前記表示部に第１の表示欄と第２の表示欄とを出力し、前記コンテンツ記憶部において、前記第１、第２の表示欄に出力する電子レセプトを特定し、前記電子レセプトの摘要情報に含まれる明細において、頁の開始行から、前記摘要情報に記載された情報に基づいてまとまりとして取り扱う明細を分割することなく、各明細の行数を合計した全体の行高を順次、計算し、前記計算した行高が、頁の表示可能な頁高を超えている場合には、前記まとまりがある明細に対してカウントアップした頁数を記録し、前記第１の表示欄に出力する頁の明細範囲を特定し、前記第２の表示欄において、カウントアップした頁の明細を出力する。これにより、複数の表示欄を用いて、コンテンツを表示することができる。この場合、各表示欄において表示されるコンテンツの重複を防ぐことにより、混乱を抑制することができる。
【手続補正３】
【補正対象書類名】明細書
【補正対象項目名】０００９
【補正方法】変更
【補正の内容】
【０００９】
（２）更に、上記表示システムにおいて、前記制御部が、前記電子レセプトにおいて、摘要情報の明細の補正情報を取得した場合、前記明細及び補正情報を一つのまとまりとして行高の計算を行なうことが好ましい。これにより、補正された内容についても、同じ表示欄において、まとめて確認することができる。
【手続補正４】
【補正対象書類名】明細書
【補正対象項目名】００１０
【補正方法】変更
【補正の内容】
【００１０】
（３）更に、上記表示システムにおいて、前記各表示欄に対応して、それぞれの絞り込み条件を設定するための表示種別欄が設けられており、前記制御部が、一方の表示種別欄において、表示対象コンテンツの絞り込み条件を取得した場合、前記絞り込み条件に該当する摘要情報の明細を特定し、前記特定した明細を、前記表示種別欄に対応する前記表示欄において表示し、前記表示種別欄において絞り込み条件が設定されていない表示欄には、前記絞り込み条件に該当しない明細を表示することが好ましい。これにより、各表示欄において絞り込まれたコンテンツを確認できるとともに、他方の表示欄において、絞り込まれていないコンテンツを確認することができる。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
（４）更に、上記表示システムにおいて、前記表示対象コンテンツに含まれる複数の明細について関連性が記録された関連情報記憶部を更に備え、前記制御部が、前記第１の表示欄において、特定の明細の指定を検知した場合、前記指定された明細と関連性がある他の明細を特定し、前記他の明細が前記第１の表示欄に表示されていない場合には、前記第２の表示欄に表示することが好ましい。これにより、複数の表示欄において、関連性がある要素を確認することができる。
【手続補正７】
【補正対象書類名】明細書
【補正対象項目名】００１３
【補正方法】変更
【補正の内容】
【００１３】
（５）更に、上記表示システムにおいて、前記制御部が、前記第１の表示欄において、特定の明細の指定を検知した場合、前記表示対象コンテンツに関連する他のコンテンツを前記コンテンツ記憶部から抽出し、前記他のコンテンツにおいて、前記特定の明細と関連性がある明細を特定し、前記第２の表示欄に表示することが好ましい。これにより、複数の表示欄において、関連性があるコンテンツを確認することができる。
【手続補正８】
【補正対象書類名】明細書
【補正対象項目名】００１４
【補正方法】変更
【補正の内容】
【００１４】
（６）更に、上記表示システムにおいて、前記制御部が、関連性がある複数の明細が連続して縦方向に並べられた配置を検知した場合、前記複数の明細を表示欄の横幅に合わせて、明細を横方向に並べた配置の横書き表示を行なうことが好ましい。これにより、縦に展開された要素を、表示欄において横配列でまとめて確認することができる。
【手続補正９】
【補正対象書類名】明細書
【補正対象項目名】００１５
【補正方法】変更
【補正の内容】
【００１５】
（７）更に、上記表示システムにおいて、前記制御部が、前記横書き表示が一つの表示欄に収まらないと判定した場合には、前記横書き表示を解除して元の配置に戻すことが好ましい。これにより、一つの表示欄に表示できない場合には、元の表示形態により確認することができる。